(57)【要約】【課題】外部にソフトスタートに対応の基準電圧が得られるとき、外付けのコンデンサを使用せず、ソフトスタートに対応の出力電圧が得られ、かつ電源ＯＦＦ直後にＯＮしても０Ｖからソフトスタートを開始する。【解決手段】電源レギュレータ９のマイナス電源端子５に負電圧が印加、制御信号入力端子１にスタート信号が入力され全回路にバイアス電圧が生じ回路動作がスタートする。基準電圧入力端子２に基準電圧を加え、誤差増幅器７のマイナス入力端子の電圧０Ｖとプラス入力端子の電圧を比較し、誤差増幅器７はプラス入力端子の電圧が０Ｖに設定されるよう動作する。出力端子４には基準電圧入力端子２から入力の基準電圧と抵抗Ｒ１，Ｒ２の抵抗値に比例した負電圧が発生し、基準電圧が所定の基準電圧に達し安定すると、出力端子４の電圧も、基準電圧と抵抗Ｒ１，Ｒ２の抵抗値に比例した負電圧で安定して外部にコンデンサを用いずソフトスタートができる。【選択図】図１
2005071080.tif 000002
【特許請求の範囲】
【請求項１】
誤差増幅器の一方の入力端子を接地端子と接続し、前記誤差増幅器の他方の入力端子が第１の抵抗と第２の抵抗の直列接続点に接続された前記第１の抵抗の一端を外部の基準電圧源の入力端子と接続し、前記第２の抵抗の一端を電源レギュレータの出力トランジスタのコレクタに接続すると共に電源レギュレータの出力端子と接続し、前記誤差増幅器の出力がベースと接続された前記出力トランジスタのエミッタを電流検出抵抗を介してマイナス電源端子と接続し、各端子内を集積回路化したことを特徴とする電源レギュレータ。
【請求項２】
前記接地端子にエミッタを接続した第１，第２のＮＰＮトランジスタでカレントミラー回路を構成して、前記第１のＮＰＮトランジスタのコレクタとベースを接続すると共にダイオードと第３の抵抗を直列して外部端子とし、前記ダイオードと前記第３の抵抗の直列接続点から第４の抵抗を介してＰＮＰトランジスタのエミッタに接続し、前記ＰＮＰトランジスタのベースを前記第２のＮＰＮトランジスタのコレクタに接続し、前記ＰＮＰトランジスタのコレクタ電流を誤差増幅器のバイアス電流として、前記外部端子に加える電圧により電源レギュレータのスタート／ストップを制御することを特徴とする請求項１記載の電源レギュレータ。
【請求項３】
前記接地端子とコレクタ、および電源レギュレータの出力端子とエミッタが接続された第３のＮＰＮトランジスタを有し、電源レギュレータのスタート／ストップ制御信号のストップ信号により、前記第３のＮＰＮトランジスタがＯＮすることを特徴とする請求項１記載の電源レギュレータ。
【発明の詳細な説明】
【技術分野】
【０００１】
本発明は、ＣＣＤ等の電源に必要なプラス電源、またはマイナス電源の電源レギュレータに関し、特に、マイナス電源の電源レギュレータを単独で集積回路化する場合に有利な電源レギュレータに関するものである。
【背景技術】
【０００２】
電源レギュレータに必要な基準電圧源として、バンドギャップ基準電圧回路を使用することが特許文献１に記載されている。しかしながら、基準電圧回路のみでは、電源レギュレータを実現することはできない。一般的な電源レギュレータとして、例えば、図５にマイナス電源の電源レギュレータのブロック図を示す。図５において、１は電源レギュレータのスタート／ストップの制御信号入力端子、３は接地端子（ＧＮＤ）、４は安定化された出力端子、５はマイナス電源端子である。
【０００３】
スタート／ストップの制御信号入力端子１からスタート／ストップ回路８にスタート信号が入力されると、基準電圧源６が動作すると共に、誤差増幅器７にバイアス電流が供給されて動作し、基準電圧と抵抗Ｒ１および抵抗Ｒ２の直列接続点の電圧とを誤差増幅器７が比較し、その電圧が等しくなるよう制御する動作を実行する。
【０００４】
一般的に、電源レギュレータ９（図５の破線内の部分）が１チップで集積回路化されている。ＣＣＤなどに使用される電源においては、電源ＯＮ時、徐々に電源が立ち上がり一定時間後に所定の定電圧となる、いわゆるソフトスタートが必要な場合が発生する。この場合、従来の電源レギュレータでは電源立ち上がり時間を制御するため比較的大容量のコンデンサＣ１を接続し、コンデンサＣ１への充電時間を利用し立ち上がり時間を制御している。このためのコンデンサＣ１を集積回路の外付けに接続する必要があった。
【０００５】
また、ＣＣＤなどに使用される電源は、システムとして構成する場合が多く、この場合ソフトスタートする基準電圧源が別にあっても従来の電源レギュレータでは基準電圧源が集積回路内に内蔵されているため、各集積回路毎にコンデンサを外付けに接続し対応する必要があった。
【特許文献１】特開平４−１４３８１１号公報
【発明の開示】
【発明が解決しようとする課題】
【０００６】
しかしながら、このような構成の電源レギュレータにおいては、電源レギュレータの電圧を徐々に立ち上げるソフトスタート機能を追加するためには、集積回路の外付けにコンデンサを接続する必要がある。また、従来の電源レギュレータでは、集積回路の外部に徐々に立ち上がる電源があっても利用することができず、個別に集積回路の外付けにコンデンサを接続して、ソフトスタートに対応する設計が必要であった。
【０００７】
さらに、ＣＣＤに使用される電源は、一度電源をＯＦＦした後に再度電源をＯＮした場合、マイナス電源は０Ｖからスタートする必要があり、電源ＯＦＦ時に外付けコンデンサ（図５に示す出力端子と接地端子との間に接続するコンデンサＣ１）に蓄積される電荷を放電（ディスチャージ）して出力電圧を０Ｖにリセットする必要があるという問題があった。
【０００８】
本発明は、前記従来技術の問題を解決することに指向するものであり、基準電圧を集積回路の外部から受け、その信号を基準として安定した出力電圧を得る電源レギュレータであって、外部にソフトスタートに対応する基準電圧が得られる場合、外付けのコンデンサを使用することなく、ソフトスタートに対応した出力電圧が得られ、かつ電源ＯＦＦ直後にＯＮしても０Ｖからソフトスタートを開始する電源レギュレータを提供することを目的とする。
【課題を解決するための手段】
【０００９】
この目的を達成するために、本発明に係る電源レギュレータは、誤差増幅器の一方の入力端子を接地端子と接続し、誤差増幅器の他方の入力端子が第１の抵抗と第２の抵抗の直列接続点に接続された第１の抵抗の一端を外部の基準電圧源の入力端子と接続し、第２の抵抗の一端を電源レギュレータの出力トランジスタのコレクタに接続すると共に電源レギュレータの出力端子と接続し、誤差増幅器の出力がベースと接続された出力トランジスタのエミッタを電流検出抵抗を介してマイナス電源端子と接続し、各端子内を集積回路化したことを特徴とする。
【００１０】
また、前記接地端子にエミッタを接続した第１，第２のＮＰＮトランジスタでカレントミラー回路を構成して、第１のＮＰＮトランジスタのコレクタとベースを接続すると共にダイオードと第３の抵抗を直列して外部端子とし、ダイオードと第３の抵抗の直列接続点から第４の抵抗を介してＰＮＰトランジスタのエミッタに接続し、ＰＮＰトランジスタのベースを第２のＮＰＮトランジスタのコレクタに接続し、ＰＮＰトランジスタのコレクタ電流を誤差増幅器のバイアス電流として、外部端子に加える電圧により電源レギュレータのスタート／ストップを制御することを特徴とする。
【００１１】
さらに、前記接地端子とコレクタ、および電源レギュレータの出力端子とエミッタが接続された第３のＮＰＮトランジスタを有し、電源レギュレータのスタート／ストップ制御信号のストップ信号により、第３のＮＰＮトランジスタがＯＮすることを特徴とする。
【００１２】
前記構成によれば、外部の基準電圧源入力端子からの電圧を第１の抵抗および第２の抵抗で分割した電圧が０Ｖになるよう誤差増幅器が動作し、電源レギュレータの出力端子には第１の抵抗および第２の抵抗で設定された安定化した出力電圧が得られ、この出力電圧は、外部の基準電圧源の電圧に比例し、基準電圧源の電圧がソフトスタートに対応し、初期に０Ｖから徐々に基準電圧に達する動作を行えば、出力端子の出力電圧も外部に大容量のコンデンサを接続することなく、０Ｖからソフトスタートに準じて、徐々に所定の出力電圧に達することができ、さらに、外部端子からストップ信号の入力時には、第３のＮＰＮトランジスタがＯＮして外部接続のコンデンサの電荷を放電（ディスチャージ）して、接地端子と出力端子の電位を同じにできる。
【発明の効果】
【００１３】
以上説明したように、本発明によれば、基準電圧を集積回路とは別に、外部から受けることにより、集積回路の回路構成が簡単になり、集積回路の規模を小さくでき、低コストを実現でき、また、複数の電源レギュレータを使用する場合に、他の電源レギュレータの一部から基準電圧を受けることにより基準電圧源を有効に利用でき、かつ外部に大容量のコンデンサを接続することなく、前述の基準電圧を徐々に立ち上げるソフトスタートに応じて、電源レギュレータの出力電圧もソフトスタートに準じた立ち上げに対応でき、さらに、制御信号入力端子をスタートからストップに切り替えた場合、出力端子と接地端子間に接続したコンデンサの電荷をディスチャージ（放電）でき、瞬時に出力電圧を０Ｖに放電し、次のスタート時には０Ｖから出力電圧を立ち上げるソフトスタートが実現できるという効果を奏する。
【発明を実施するための最良の形態】
【００１４】
以下、図面を参照して本発明における実施の形態を詳細に説明する。
【００１５】
図１は本発明の実施の形態における電源レギュレータの概略構成を示すブロック図である。ここで、前記従来例を示す図５において説明した構成部材に対応し同等の機能を有するものには同一の符号を付してこれを示す。
【００１６】
図１において、１は回路動作スタート／ストップの制御信号入力端子、２は基準電圧入力端子、３は接地端子、４は出力端子、５はマイナス電源端子、９は図１の破線内の部分が１チップで集積回路化されている電源レギュレータである。
【００１７】
電源レギュレータ９のマイナス電源端子５に負電圧が印加され、制御信号入力端子１にスタート信号が入力されると全回路にバイアス電圧が生じ回路動作がスタートする。いま、基準電圧入力端子２が０Ｖのとき、誤差増幅器７のプラス入力電圧は０Ｖ，マイナス入力電圧も０Ｖになり、誤差増幅器Ｉの出力電圧は変化せず、従って出力トランジスタも変化せず出力電圧は０Ｖである。この状態で、基準電圧入力端子２に基準電圧を加えると、誤差増幅器７のマイナス入力端子の電圧０Ｖとプラス入力端子の電圧を比較して、誤差増幅器７はプラス入力端子の電圧が０Ｖに設定されるよう動作する。
【００１８】
したがって、出力端子４には基準電圧入力端子２から入力の基準電圧と抵抗Ｒ１，Ｒ２の抵抗値に比例した負電圧が発生し、基準電圧が所定の基準電圧に達し安定すると、出力端子４の電圧も、基準電圧と抵抗Ｒ１，Ｒ２の抵抗値に比例した負電圧で安定する。
【００１９】
例えば、誤差増幅器７のプラス入力端子にプラス電圧が加われば、ＮＰＮトランジスタＴr１のベースに電圧が生じトランジスタＴr１のベース電流が流れ、コレクタ電流も流れて、抵抗Ｒ２による電圧降下が発生し誤差増幅器７のプラス入力電圧が低下し０Ｖの値で安定することになる。
【００２０】
前記の説明を、基準電圧入力端子２の基準電圧をＶref、抵抗Ｒ１の抵抗値をＲｅ、抵抗Ｒ２の抵抗値をＲｆ、とすれば出力端子４の負電圧値Ｍは、（数１）で表される。
【００２１】
【数１】
2005071080.tif 000003
ここで、ＲｅとＲｆの比、Ｒｆ／Ｒｅを７.５に設定すると、Ｖrefが０ＶのときＭ＝０Ｖ、またＶrefが１ＶのときＭ＝−７.５Ｖに設定される。したがって、基準電圧入力端子２の電圧Ｖrefが０Ｖよりリニアに１Ｖに達する安定な基準電圧の特性を示す場合、出力端子４の負電圧値Ｍは、０Ｖよりリニアに−７.５Ｖに達し安定な特性を示す。
【００２２】
一般に、ＣＣＤのバイアス電源に使用される場合などプラス電源とマイナス電源がペアで使用される場合が多く、具体的にはプラス１５Ｖとマイナス７.５Ｖの電源が必要であり、図２にＣＣＤに必要とされる電源電圧の接続図を示す。さらにプラス１５Ｖの電源の立ち上がりのタイミングと、マイナス７.５Ｖの電源の立ち上がりのタイミングを合わせることが必要である。このタイミング関係を図３に示す。図３は、プラス１５Ｖおよびマイナス７.５Ｖの立ち上がりのタイミングが一致して、０Ｖからリニアに立ち上がるソフトスタート機能があり、さらにプラス１５Ｖ、マイナス７.５Ｖに達するタイミングも一致していることを示している。
【００２３】
通常、ソフトスタート機能は、プラス・マイナスそれぞれの電源に必要であるが、本発明のように外部の基準電圧を使用すれば、個別に設ける必要がなく、回路の簡素化、素子数の削減、さらに集積回路の場合チップ面積を小さくでき、コスト低減の効果が期待でき、プラス電圧とマイナス電圧のペア性も良くなり産業上の効果が大きい。
【００２４】
また、プラス１５Ｖおよびマイナス７.５Ｖに達して後、電源をＯＦＦし直後に電源ＯＮした場合、電源に接続しているコンデンサに蓄積される電荷のため、０Ｖからはスタートできず、ＣＣＤの電源に不都合が発生する。
【００２５】
この不都合を防止するため、スタート／ストップの制御信号入力端子１にストップ信号を入力すると、図１に示すトランジスタＴr３がＯＮすることにより、コンデンサＣ２の電荷を放電するディスチャージ（放電）動作を行う。スタート／ストップの制御信号入力端子１がストップ信号の入力時、トランジスタＴr３はＯＮしコンデンサＣ２の電荷を放電して瞬時に出力端子４を０Ｖに設定する。この状態で制御信号入力端子１をスタート信号の入力に設定すると、出力端子４は０Ｖからスタートすることができる。
【００２６】
図４は本実施の形態における電源レギュレータの回路構成例を示す図である。前述した図１の説明と同様に、１はスタート／ストップの制御信号入力端子、２は外部からの基準電圧入力端子、３は接地端子、４は出力端子、５はマイナス電源端子である。
【００２７】
いま、マイナス電源端子５にマイナス電圧が加わった状態で、制御信号入力端子１に電圧を加えると、抵抗Ｒ１１、ダイオードＤ１、カレントミラー接続されたＮＰＮトランジスタＴr１１を通って、制御信号入力端子１から接地端子３に電流が流れる。また、ＮＰＮトランジスタＴr１１とカレントミラー接続されるＮＰＮトランジスタＴr１２にもベース電流およびコレクタ電流が流れ、抵抗Ｒ１１、抵抗Ｒ１２、抵抗Ｒ１３を通ってＰＮＰトランジスタＴr１３のエミッタ電流およびコレクタ電流が流れＮＰＮトランジスタＴr１４とカレントミラー構成のＮＰＮトランジスタＴr１５、ＮＰＮトランジスタＴr１６、ＮＰＮトランジスタＴr１７にもコレクタ電流が流れる。
【００２８】
ＮＰＮトランジスタＴr１５のコレクタ電流はＰＮＰトランジスタＴr１８に流れ、ＰＮＰトランジスタＴr１８とカレントミラー構成するＰＮＰトランジスタＴr１９にコレクタ電流が流れて、ＮＰＮトランジスタＴr２０，Ｔr２１，Ｔr２３，Ｔr２４，Ｔr２６，Ｔr２７、ＰＮＰトランジスタＴr２２，Ｔr２５で構成する誤差増幅器にバイアス電流が供給され誤差増幅器が動作する。誤差増幅器の一方の入力であるＮＰＮトランジスタＴr２７のベースは、接地端子３に接続され、他方の入力であるＮＰＮトランジスタＴr２０のベースは抵抗Ｒ１と抵抗Ｒ２の直列接続点に接続されており、この直列接続点と接地端子３との電圧を比較する。
【００２９】
前記の回路構成で、初め基準電圧入力端子２に電圧が加わっている場合、誤差増幅器の他方の入力であるＮＰＮトランジスタＴr２０のベース電圧は、誤差増幅器の一方の入力であるＮＰＮトランジスタＴr２７のベース電圧より高く、従って誤差増幅器を構成する差動増幅器のＰＮＰトランジスタＴr２２，Ｔr２５のＰＮＰトランジスタＴr２５のベース電圧がＰＮＰトランジスタＴr２２のベース電圧より低くなりＰＮＰトランジスタＴr２５がＯＮし、ＰＮＰトランジスタＴr２５のコレクタにベースが接続されたＮＰＮトランジスタＴr２８がＯＮし、さらにＮＰＮトランジスタＴr２８のエミッタにベースが接続されたＮＰＮトランジスタＴr２９がＯＮし、コレクタ電流およびエミッタ電流が流れる。ＮＰＮトランジスタＴr２９のコレクタ電流が流れるとコレクタに接続されている抵抗Ｒ２、抵抗Ｒ１に電流が流れ電圧降下によりコレクタ電圧が低下する。抵抗Ｒ２と抵抗Ｒ１の直列接続点であるＮＰＮトランジスタＴr２０のベース電圧も低下していき、接地端子３の電圧と等しくなる電圧で安定する。この状態での出力端子４の電圧は（数１）で表される電圧になる。
【００３０】
なお、コンデンサＣ２は発振防止用の外付コンデンサである。出力端子４と接地端子３との間に負荷を接続し、負荷電流を流した場合も前記と同様の動作を実行する。負荷電流が増加するとＮＰＮトランジスタＴr２９のエミッタに接続されている抵抗Ｒ３（電流検出抵抗）に流れる電流も増加しＮＰＮトランジスタＴr２９のエミッタ電圧が上昇する。ＮＰＮトランジスタＴr２９のベース、エミッタ間に接続されている抵抗Ｒ１５，Ｒ１６の直列接続点に接続されているＮＰＮトランジスタＴr３０のベース電圧も増加し、この点の電圧がＮＰＮトランジスタＴr３０のベース、エミッタ間電圧、ＶＢＥ≒０.６Ｖ以上になるとＮＰＮトランジスタＴr３０がＯＮし、ＮＰＮトランジスタＴr３０のコレクタが接続されているＮＰＮトランジスタＴr２８のベース電流をＮＰＮトランジスタＴr３０のコレクタ電流としてマイナス電源端子５へ流すためＮＰＮトランジスタＴr２８のベース電流が制限され、ＮＰＮトランジスタＴr２９のコレクタ電流つまり負荷電流を制限し、過大電流によるＮＰＮトランジスタＴr２９の破壊を防止する保護動作を実行する。
【００３１】
スタート／ストップの制御信号入力端子１の印加電圧を下げ接地端子３と同じ電圧まで下げるとＮＰＮトランジスタＴr１１のコレクタ電流が流れなくなり、ＮＰＮトランジスタＴr１１とカレントミラーを構成するＮＰＮトランジスタＴr１２コレクタ電流も流れなくなり、ＰＮＰトランジスタＴr１３のベース電流も流れず、従ってコレクタ電流も流れず、ＰＮＰトランジスタＴr１３のコレクタが接続されているＮＰＮトランジスタＴr１４およびＮＰＮトランジスタＴr１４とカレントミラー構成されるＮＰＮトランジスタＴr１６，Ｔr１７のコレクタ電流も流れない。
【００３２】
したがって、誤差増幅器の構成回路へのバイアス電流が流れず、回路はＯＦＦ状態となる。この状態ではＮＰＮトランジスタＴr２９のコレクタ電流は流れず負荷電流は０となり消費電力もほとんど０の低消費電力が実現できる。
【００３３】
また、スタート／ストップの制御信号入力端子１の印加電圧が外部の基準電圧入力端子２の電圧より低下しＰＮＰトランジスタＴr３１のベース、エミッタ間電圧ＶＢＥ≒０.６Ｖ以上が発生するとＰＮＰトランジスタＴr３１がＯＮし、ＰＮＰトランジスタＴr３１のコレクタ電流が流れ、ＰＮＰトランジスタＴr３１のコレクタが、ＮＰＮトランジスタＴr３２のベースに接続されたＮＰＮトランジスタＴr３２もＯＮする。この結果、外付コンデンサＣ２に蓄積された電荷が、ＮＰＮトランジスタＴr３２を通って流れ電荷が放電され、出力端子４の電圧は、接地端子３とほぼ同じ電圧に設定される。
【００３４】
次にスタート／ストップの制御信号入力端子１に電圧を印加した場合、前記の説明からも明らかなように、出力端子４の電圧は接地電圧０Ｖからスタートし、前記の（数１）で計算される電圧で安定する。
【００３５】
制御信号入力端子１の電流は、抵抗Ｒ１１を通った後、一方は、ダイオードＤ１、コレクタ、ベースを接続したＮＰＮトランジスタＴr１１を通り、ＮＰＮトランジスタＴr１１のエミッタから接地端子３へ流れる。制御信号入力端子１から抵抗Ｒ１１を通った所の電圧は、ダイオードＤ１の順方向電圧と、ＮＰＮトランジスタＴr１１のベース、エミッタ間電圧の和に等しい。
【００３６】
ここで、抵抗Ｒ１２の電圧降下をＶＲ１２、抵抗Ｒ１３の電圧降下をＶＲ１３、ＰＮＰトランジスタＴr１３のベース、エミッタ間電圧をＶＢＥ１３，ＮＰＮトランジスタＴr１２のコレクタ、エミッタ間サチレーション電圧をＶＣＥＳＡＴ１２、ダイオードＤ１の順方向電圧をＶＢＥ１ｄ，ＮＰＮトランジスタＴr１１のベース、エミッタ間電圧をＶＢＥ１１とすれば（数２）が成り立つ。
【００３７】
【数２】
2005071080.tif 000004
ＰＮＰトランジスタＴr１３の電流Ｉ１３は（数３）となり、
【００３８】
【数３】
2005071080.tif 000005
ここでｒ１２は抵抗Ｒ１２の抵抗値、ｒ１３は抵抗Ｒ１３の抵抗値である。
【００３９】
ＶＢＥ１３およびＶＣＥＳＡＴ１２はほとんど一定のため（数２）,（数３）よりスタート／ストップの制御信号入力端子１の電圧がＶＢＥの２倍より高ければ電流Ｉ１３は、ほぼ一定であることを示している。この電流は、ＮＰＮトランジスタＴr１４，Ｔr１５，Ｔr１６，Ｔr１７による誤差増幅器のバイアス電流であり、この電流が一定であれば誤差増幅器のゲインが安定することを示し、従って制御信号入力端子１の電圧が多少変化しても、誤差増幅器の動作が安定していることを示す。
【産業上の利用可能性】
【００４０】
本発明に係る電源レギュレータは、基準電圧を集積回路とは別に、外部から受けることにより、集積回路の回路構成が簡単になり、集積回路の規模を小さくでき、低コストを実現でき、また、複数の電源レギュレータを使用する場合に、他の電源レギュレータの一部から基準電圧を受けることにより基準電圧源を有効に利用でき、かつ外部に大容量のコンデンサを接続することなく、前述の基準電圧を徐々に立ち上げるソフトスタートに応じて、電源レギュレータの出力電圧もソフトスタートに準じた立ち上げに対応でき、さらに、制御信号入力端子をスタートからストップに切り替えた場合、出力端子と接地端子間に接続したコンデンサの電荷をディスチャージ（放電）でき、瞬時に出力電圧を０Ｖに放電し、次のスタート時には０Ｖから出力電圧を立ち上げるソフトスタートが実現でき、ＣＣＤ等の電源に必要なプラス電源、またはマイナス電源の電源レギュレータに関し、特に、マイナス電源の電源レギュレータを単独で集積回路化する場合に有用である。
【図面の簡単な説明】
【００４１】
【図１】本発明の実施の形態における電源レギュレータの概略構成を示すブロック図
【図２】ＣＣＤに必要とされる電源電圧の接続図
【図３】プラス１５Ｖおよびマイナス７.５Ｖのソフトスタート機能のタイミング関係を示す図
【図４】本実施の形態における電源レギュレータの回路構成例を示す図
【図５】従来の電源レギュレータの概略構成を示すブロック図
【符号の説明】
【００４２】
１  制御信号入力端子
２  基準電圧入力端子
３  接地端子
４  出力端子
５  マイナス電源端子
６  基準電圧源
８  スタート／ストップ回路
９  電源レギュレータ
Ｃ１，Ｃ２  コンデンサ
Ｄ１，Ｄ２  ダイオード
Ｒ１〜３，Ｒ１１〜１７  抵抗
Ｔr１〜３，Ｔr１１，Ｔr１２，Ｔr１４〜１７，Ｔr２０，Ｔr２１，Ｔr２３，Ｔr２４，Ｔr２６〜３０，Ｔr３２  ＮＰＮトランジスタ
Ｔr１３，Ｔr１８，Ｔr１９，Ｔr２２，Ｔr２５，Ｔr３１  ＰＮＰトランジスタ
【図１】
2005071080.tif 000006
【図２】
2005071080.tif 000007
【図３】
2005071080.tif 000008
【図４】
2005071080.tif 000009
【図５】
2005071080.tif 000010